(57)【特許請求の範囲】
【請求項１】
パレットの、荷物が載置される底部から前記荷物を上方に浮かして支持するパレット用治具であって、
前記パレットが上方から載置される治具本体と、この治具本体に設けられて、該治具本体に前記パレットが載置された際に、該パレットの底部を貫通することで、該底部から上方に突出して前記荷物を支持する支持部とを備え、
前記治具本体には、前記パレットの側面が当接されることで、前記支持部の前記パレットに対する位置決めを行う位置決め部が設けられており、
前記位置決め部は、前記治具本体の一側部に立設された一対のフレームで構成されており、該フレームは前記支持部より上方に前記パレットの厚さより大きく突出していることを特徴とするパレット用治具。
【請求項２】
請求項１記載のパレット用治具において、前記支持部が、前記治具本体に水平方向に所定間隔で立設された複数の歯を有する櫛部で構成されていることを特徴とするパレット用治具。
【請求項３】
請求項１または２に記載のパレット用治具を使用してパレットから荷物を荷降ろす方法であって、まず、荷物が積み込まれたパレットを、前記一対のフレームに当接させつつ下降させて、前記パレット用治具の治具本体に載置することによって、その支持部をパレットの底部から突出させて、該支持部によって前記荷物を前記底部から浮かした状態で支持し、次いで、前記荷物とパレットの底部との間から爪を差し込み、この爪を上昇させることで該爪で前記荷物の下面を支持しつつ該荷物を前記支持部から離間させてパレットから取り出すことを特徴とする荷物の荷降ろし方法。
【請求項４】
請求項１または２に記載のパレット用治具を使用してパレットに荷物を積み込む方法であって、まず、空のパレットを、前記一対のフレームに当接させつつ下降させて、前記パレット用治具の治具本体に載置することによって、その支持部をパレットの底部から突出させた後、該支持部に荷物をその下面を爪で支持しつつ降ろすことによって載置し、次いで、前記パレットを持ち上げることによって、該バレットの底部で前記荷物を前記支持部から受け取ってパレットに積み込むことを特徴とする荷物の積み込み方法。
【発明の詳細な説明】
【０００１】
【発明の属する技術分野】
本発明は、搬送用のパレットに荷物を積み込みあるいはパレットから荷物を荷降ろす際に使用されるパレット用治具と、このパレット用治具を使用した荷物の荷降ろし方法および積み込み方法に関するものである。
【０００２】
【背景の技術】
住宅を構築する方法の一つとして知られているパネル工法は、予め工場等において床パネル、壁パネル、屋根パネル等の構造用パネルを製造し、これらパネルや住宅を構築する際に必要な部品等を、建築現場まで搬送して、該建築現場で、前記パネルや部品を組み付けることによって、住宅を構築する方法である。
前記住宅を構築する際に必要な部品は、工場等において専用のパレットに積み込まれて、このパレットごと建築現場まで搬送され、該建築現場においてパレットから荷降ろしされる。
【０００３】
前記パレットに前記部品（荷物）を積み込む場合、例えば、該部品をフォークリフトの爪で下面側から支持したうえで、該爪を前記パレット上で下降させることで、パレットに積み込むようにしている。
また、パレットから前記荷物を荷降ろしする場合、該荷物の下面側にフォークリフトの爪を差し込んだ後、該爪を上昇させて荷物をパレットから取り出すことによって、荷降ろすようにしている。
【０００４】
ところで、前記パレットに荷物をフォークリフトによって積み込む場合、該荷物をパレットの底部に直接載置するようにすると、該底部と荷物とに前記フォークリフトの爪が挟まれて、該爪を引き抜けなくなる。
したがって、荷物をパレットの底部に直接載置するのではなく、例えば該底部に桟木等を複数載置し、該桟木等に荷物を載置することで、荷物とパレットの底部との間に、桟木等の厚さの分かだけの隙間を形成し、この隙間を利用して前記爪を引き抜くようにしている。
また、パレットから荷物を荷降ろす場合も、該荷物をパレットの底部に直接載置するようにすると、該底部と荷物との間にフォークリフトの爪を差し込むことができないので、前記桟木等による隙間を利用して前記爪を差し込むようにしている。
【０００５】
【発明が解決しようとする課題】
しかしながら、上記のように、パレットの底部に桟木等を介して荷物を載置する場合、パレットごとに桟木等が必要になるばかりか、パレットの底部に桟木等を配置したり、場合によっては、桟木等をパレットの底部に固定することもあるため、これらの作業に手間がかかり、よって、積み込み作業に手間がかかっていた。
また、パレットから荷物を荷降ろす場合も、例えば、前記桟木等がパレットの搬送中にずれたりすると、フォークリフトの爪を差し込み難くなるので、現場で桟木等のずれを修正する必要があり、この作業に手間がかかり、よって、荷降ろし作業に手間がかかっていた。
さらに、パレットの底部に桟木等を介して荷物を積み込むと、該桟木等の厚さの分だけ、積載できる上下の寸法が小さくなり、よって積載効率が低下していた。
【０００６】
本発明は上記事情に鑑みてなされたもので、パレットへの荷物の積み込みや、パレットからの荷物に荷降ろしを容易に行うことできるとともに、パレットへの荷物の積載効率を向上させることができるパレット用治具と、このパレット用治具を使用した荷物の荷降ろし方法および積み込み方法を提供することを目的としている。
【０００７】
【課題を解決するための手段】
上記目的を達成するために、本発明の請求項１のパレット用治具は、例えば図１および図８に示すように、パレット１５の、荷物Ｎが載置される底部１８から前記荷物Ｎを上方に浮かして支持するパレット用治具１であって、前記パレット１５が上方から載置される治具本体２と、この治具本体２に設けられて、該治具本体２に前記パレット１５が載置された際に、該パレット１５の底部１８を貫通することで、該底部１８から上方に突出して前記荷物Ｎを支持する支持部３，３とを備え、
前記治具本体２に、前記パレット１５の側面（横フレーム１６）が当接されることで、前記支持部３の前記パレット１５に対する位置決めを行う位置決め部４を設け、
前記位置決め部４は、前記治具本２体の一側部に立設された一対のフレーム１１，１１で構成されており、該フレーム１１，１１は前記支持部３より上方に前記パレット１５の厚さより大きく突出していることを特徴とする。
【０００８】
前記パレット１５は、荷物Ｎが載置される底部１８を有するものであれば、どのような形状のものでもよいが、少なくとも一側面側は、フォークリフトの爪Ｔを差し込めるように構成される。
このような構成のパレットとしては、例えば、荷物Ｎが載置される底部１８と、この底部１８の縁部に立設された複数の柱１９…とからなるものが挙げられる。
【０００９】
前記治具本体２は、例えば、前記パレット１５の底部下面が当接されることで、パレット１５の底部を下方からほぼ水平に支持する当接面を有した構成とする。この当接面は、板体の上面で構成してもよいし、角棒状のフレーム５ａ〜５ｃを水平面内において、例えば矩形状に組み付けてなる枠体の上面で構成してもよい。
また、前記支持部３は、前記治具本体２にほぼ直角に設けられ、その上端部には前記荷物Ｎを下方から支持する支持面１０ａがほぼ水平に形成される。
そして、前記パレット１５の底部には、前記支持部３が貫通可能な開口部１８ａが形成される。この開口部１８ａの大きさ、形状、および配置位置は、前記支持部３の大きさ、形状、配置位置に対応して設定される。
【００１０】
請求項１のパレット用治具１にあっては、パレット１５に荷物Ｎを積み込む場合、まず、空のパレット１５を前記パレット用治具１の治具本体２に載置することによって、その支持部３をパレット１５の底部１８から突出させた後、図９に示すように、該支持部３に荷物Ｎをその下面をフォークリフトの爪Ｔで支持しつつ降ろすことによって載置する。これによって、前記荷物Ｎはパレット１５の底部１８上方に前記支持部３によって浮いた状態に支持される。
次いで、図６に示すように、前記パレット１５をフォークリフトの爪Ｔで支持して持ち上げると、該パレット１５の底部１８が上昇して前記荷物Ｎに下方から当接し、さらに該底部１８が上昇することで、荷物Ｎを支持部３から離して受け取り、その後、パレット１５を他の場所に降ろすことで、積み込みを終了する。
【００１１】
一方、パレット１５から荷物Ｎを降ろす場合、まず、図５および図６に示すように、荷物Ｎが積み込まれたパレット１５をフォークリフトの爪Ｔによって支持して、前記パレット用治具１の治具本体２に載置することによって、その支持部をパレットの底部から突出させる。すると、図７および図９に示すように、該底部１８に載置されていた荷物Ｎが、前記支持部３によって下方から押され、該荷物Ｎが前記底部１８から浮いた状態で支持される。
次いで、図９に示すように、前記荷物Ｎとパレット１５の底部１８との隙間Ｓからフォークリフトの爪Ｔを差し込み、図８に示すように、この爪Ｔを上昇させることで該爪Ｔで前記荷物Ｎの下面を支持しつつ該荷物Ｎを前記支持部３から離間させてパレット１５から取り出し、その後、荷物Ｎを他の場所に降ろすことで、荷降ろしを終了する。
【００１２】
このように、請求項１のパレット用治具１を使用すれば、従来と異なり桟木等を使用することなく、パレット１５と荷物Ｎの間に隙間Ｓを形成することができるので、従来に比して、パレット１５への荷物Ｎの積み込み、および、パレット１５からの荷物Ｎの荷降ろしを容易に行うことができる。また、従来と異なり桟木を使用することなく、パレット１５の底部１８に荷物Ｎを直接載置して積み込むことができるので、該桟木がない分だけ、積載できる上下の寸法が大きくなり、よって、パレット１５への荷物Ｎの積載効率が向上する。
また、前記支持部３のパレット１５に対する位置決めとは、前記治具本体２にパレット１５を載置した際に前記支持部３がパレット１５の底部１８を貫通するものであるから、該支持部３と、これを貫通させるために前記底部１８に形成された開口部１８ａとの位置決めのことを意味する。前記位置決め部４は、例えば、前記治具本体２の一側部に立設されたフレーム１１，１１で構成され、このフレーム１１，１１に、図６に示すように、パレット１５の側面（横フレーム１６）を当接することで、パレット用治具１の支持部３と、パレット１５の底部１８の開口部１８ａとの位置を合致させるようになっている。
そして、パレット１５をパレット用治具１の治具本体２に載置する際に、パレット１５の側面をパレット用治具１の位置決め部４に当接することで、前記支持部３の前記パレット１５に対する位置決めが行われて、該支持部３がパレット１５の底部１８を確実に貫通して底部１８から突出し、該支持部３によって、前記荷物Ｎがパレット１５の底部１８上方に浮いた状態に確実に支持される。
【００１３】
請求項２のパレット用治具１は、例えば図１に示すように、請求項１において、前記支持部３を、前記治具本体２に水平方向に所定間隔で立設された複数の歯８…を有する櫛部３で構成したものである。
【００１４】
前記櫛部３は、前記治具本体２に、等しい高さの複数の歯８…を一方向に等間隔で立設することによって構成される。各歯８の先端部には、荷物Ｎの下面を支持する支持面１０ａが形成され、これら支持面１０ａ…は同一水平面内に位置させるようにする。
また、前記櫛部３は前記治具本体２に少なくとも一対、それぞれの歯８…を互に対向させて設けるのが望ましいが、一対以上でもよいし、一つでもよい。
前記支持部３を前記櫛部３で構成した場合、前記パレット１５の底部１８には、例えば図８に示すように、該櫛部３のそれぞれの歯８…が貫通するような開口部１８ａ…を、それぞれの歯８…に対応させて形成することで、櫛部３の歯８…が全てパレット１５の底部１８を貫通するようにする。
【００１５】
請求項２のパレット用治具１にあっては、請求項１のパレット用治具１と同様にして使用されるが、パレット１５を該パレット用治具１の治具本体２に載置することによって、その支持部３をパレット１５の底部１８から突出させる際に、該支持部３が前記櫛部３によって構成されているので、該櫛部３の複数の歯８…がパレット１５の底部１８から突出する。
したがって、パレット１５の底部１８に載置された、あるいは載置すべき荷物Ｎの下面を複数の歯８…で支持することができるので、より安定的に荷物Ｎをパレット１５の底部１８から浮かした状態で支持することができる。
【００１７】
前記支持部３のパレット１５に対する位置決めとは、前記治具本体２にパレット１５を載置した際に前記支持部３がパレット１５の底部１８を貫通するものであるから、該支持部３と、これを貫通させるために前記底部１８に形成された開口部１８ａとの位置決めのことを意味する。
前記位置決め部４は、例えば、前記治具本体２の一側部に立設されたフレーム１１，１１で構成され、このフレーム１１，１１に、図６に示すように、パレット１５の側面（横フレーム１６）を当接することで、パレット用治具１の支持部３と、パレット１５の底部１８の開口部１８ａとの位置を合致させるようになっている。
【００１８】
請求項３のパレット用治具１にあっては、請求項１または２のパレット用治具１と同様にして使用されるが、パレット１５をパレット用治具１の治具本体２に載置する際に、パレット１５の側面をパレット用治具１の位置決め部４に当接することで、前記支持部３の前記パレット１５に対する位置決めが行われて、該支持部３がパレット１５の底部１８を確実に貫通して底部１８から突出し、該支持部３によって、前記荷物Ｎがパレット１５の底部１８上方に浮いた状態に確実に支持される。
【００１９】
請求項３の荷物の荷降ろし方法は、請求項１または２に記載のパレット用治具１を使用してパレット１５から荷物Ｎを降ろす方法であって、まず、図７および図９に示すように、荷物Ｎが積み込まれたパレット１５を、前記一対のフレーム１１，１１に当接させつつ下降させて、前記パレット用治具１の治具本体２に載置することによって、その支持部３をパレット１５の底部１８から突出させて、該支持部３によって前記荷物Ｎを前記底部１８から浮かした状態で支持し、次いで、前記荷物Ｎとパレット１５の底部１８との間から爪Ｔを差し込み、この爪を図８に示すように上昇させることで該爪Ｔで前記荷物Ｎの下面を支持しつつ該荷物Ｎを前記支持部３から離間させてパレット１５から取り出すことを特徴としている。
【００２０】
前記パレット１５を治具本体２に載置する場合、該パレット１５を例えばフォークリフトの爪Ｔによって支持して、該爪Ｔを治具本体２上で下降させることで、パレット１５を治具本体２に上方から載置する。
また、パレット１５を治具本体２に載置したら、該パレット１５からフォークリフトの爪Ｔを引き抜き、該爪Ｔを荷物Ｎとパレット１５との間から差し込むようにする。
【００２１】
請求項３の荷物の荷降ろし方法にあっては、パレット用治具１の支持部３をパレット１５の底部１８から突出させて、該支持部３によってパレット１５の底部１８に載置された荷物Ｎを該底部１８から浮かした状態で支持するようにしたので、従来と異なり桟木等を使用することなく、パレット１５と荷物Ｎの間に隙間Ｓを形成することができる。したがって、この隙間Ｓからフォークリフト等の爪Ｔを差し込んで荷物Ｎを支持することによって、該荷物Ｎを容易かつ確実に荷降ろしすることができる。
【００２２】
請求項４の荷物の積み込み方法は、請求項１または２に記載のパレット用治具１を使用してパレット１５から荷物Ｎを積み込む方法であって、まず、空のパレット１５を、前記一対のフレーム１１，１１に当接させつつ下降させて、前記パレット用治具１の治具本体２に載置することによって、その支持部３をパレット１５の底部１８から突出させた後、図９に示すように、該支持部３に荷物Ｎをその下面を爪Ｔで支持しつつ降ろすことによって載置し、次いで、図６に示すように、前記パレット１５を持ち上げることによって、該バレット１５の底部１８で前記荷物Ｎを前記支持部３から受け取ってパレット１５に積み込むことを特徴としている。
【００２３】
前記空のパレット１５を治具本体２に載置する場合、該パレット１５を例えばフォークリフトの爪Ｔによって支持して、該爪Ｔを治具本体２上で下降させることで、パレット１５を治具本体２に上方から載置する。
また、パレット１５を治具本体２に載置したら、該パレット１５からフォークリフトの爪Ｔを引き抜き、該爪Ｔで荷物Ｎを支持して、パレット用治具１の支持部３に載置する。
さらに、荷物Ｎを支持部３に載置したならば、荷物Ｎから前記爪Ｔを引き抜き、該爪Ｔでパレット１５を支持して持ち上げる。
【００２４】
請求項４の荷物の積み込み方法にあっては、パレット用治具１の支持部３を、空のパレット１５の底部１８から突出させ、この支持部３に荷物Ｎを載置した後、パレット１５を持ち上げて支持部３から荷物Ｎを受け取るようにしたので、従来と異なり桟木等を使用することなく、該荷物Ｎを容易かつ確実に積み込むことができる。また、従来と異なり桟木を使用することなく、パレット１５の底部１８に荷物Ｎを直接載置して積み込むことができるので、該桟木がない分だけ、積載できる上下の寸法が大きくなり、よって、パレット１５への荷物Ｎの積載効率が向上する。
【００２５】
【発明の実施の形態】
以下、図面を参照して本発明の実施の形態の一例について説明する。
図１〜図４は本発明のパレット用治具の一例を示すもので、図１はパレット用治具１の斜視図、図２はパレット用治具１の平面図、図３はパレット用治具１の正面図、図４はパレット用治具１の側面図である。
【００２６】
図１〜図４に示すように、本例のパレット用治具１は、後述するパレット１５が上方から載置される治具本体２と、この治具本体２に設けられて、該治具本体２に前記パレットが載置された際に、該パレット１５の底部１８を貫通することで、該底部１８から上方に突出して荷物Ｎを支持する支持部３と、前記治具本体２に設けられて、前記パレット１５の側面が当接されることで、前記支持部３の前記パレット１５に対する位置決めを行う位置決め部４とから概略構成されている。
【００２７】
前記治具本体２は、鋼材で形成された３本の角パイプ５ａ，５ｂ，５ｂを平面視略コ字状に組み付けるとともに、前記角パイプ５ｂ，５ｂの基端部間に角パイプ５ｃ架設することによって構成された枠体を備えている。前記角パイプ５ｂには、補強アングル６が前記角パイプ５ａと角パイプ５ｃとの間に延在するように、かつ該補強アングル６上縁部を角パイプ５ｂの上面から突出させた状態で固定されている。
また、前記角パイプ５ｂの基端部には、補強プレート７がその上縁部を角パイプ５ｂの上面から突出させた状態で固定されている。
そして、前記角パイプ５ａ，５ｃの上面、補強アングル６の上縁部、および補強プレート７の上縁部は水平な同一平面上に位置するように配置されており、これらに、パレット１５の底部下面が当接されることで、該パレット１５がほぼ水平に支持されるようになっている。
【００２８】
前記支持部３は、前記治具本体２の角パイプ５の上面に、該角パイプ５の長手方向に等間隔で立設された複数（６本）の歯８…を有する櫛部３で構成されている。
前記各歯８は等しい高さの角パイプ８で形成されており、その先端部には、角パイプ１０が前記歯（角パイプ）８と略Ｔ字状をなすように水平に固定されており、該角パイプ１０の上面が荷物の下面を支持する支持面１０ａとされている。なお、前記支持面１０ａ…は、同一水平面内に位置されている。
【００２９】
前記位置決め部４は、前記治具本体２の一側部に立設された一対のフレーム１１，１１で構成されており、これらフレーム１１，１１の下端部は、前記角パイプ５ｂ，５ｂの下端部に固定されている。
また、前記フレーム１１，１１の間には横架材１２が架設されている。この横架材１２は角パイプで形成されたもので、前記フレーム１１，１１を補強するとともに、パレット用治具１を持ち運ぶ際の持ち手とされている。
そして、前記構成の位置決め部４では、前記フレーム１１，１１の、前記櫛部３側を向く側面が当接面１１ａ，１１ａとされ、該当接面１１ａ，１１ａにパレット１５の側面が当接されることで、前記櫛部３と、パレット１５の底部１８の開口部１８ａとの位置を合致させるようになっている。
【００３０】
ここで、前記パレット１５について、図８を参照して簡単に説明する。
すなわち、前記パレット１５は、横フレーム１６，１６と縦フレーム１７，１７を平面視矩形状に組み付けて矩形枠体を形成し、この矩形枠体内に荷物が載置される底部１８を設けたもので、この底部１８の縁部には、４本の柱１９…が立設されている。
前記底部１８は、その長手方向中央部に、互いに平行離間して配設されて、それぞれの端部に開口２０ａ，２０ａを有する一対の中空の板体２０，２０と、各板体２０と前記縦フレーム１７との間に、横フレーム１６と平行に架設された複数の底フレーム２１…とから構成されている。
なお、前記開口２０ａ，２０ａは、パレット１５をフォークリフトの爪によって持ち上げる際に、該爪を挿入するためのものである。
【００３１】
前記底フレーム２１…は所定間隔で配設されており、互に隣接する底フレーム２１，２１間、および前記横フレーム１６とそれに隣接する底フレーム２１との間がそれぞれ開口部１８…され、これら開口部１８ａ…の、前記縦フレーム１７の長手方向におけるピッチは、前記櫛部３の歯８…のピッチと等しく設定されている。
さらに、前記底フレーム２１…は、前記横フレーム１６を前記パレット用治具１の位置決め部４の当接面１１ａ，１１ａに当接した際に、前記開口部１８…の位置とパレット用治具１の櫛部３の歯８…の位置とが合致するように、配置されている。
したがって、前記パレット１５を前記パレット用治具１に、該パレット１５の横フレーム１６をパレット用治具１のフレーム１１，１１の当接面１１ａ，１１ａに当接して載置することで、パレット１５の開口部１８…に、パレット用治具１の櫛部３の歯８…がそれぞれ貫通して、パレット１５の底部１８から突出するようになっている。
【００３２】
次に、上記構成のパレット用治具１を使用して、パレット１５から荷物Ｎを荷下ろす方法について説明する。
まず、図５に示すように、荷物Ｎが積み込まれたパレット１５をフォークリフトの爪Ｔによって支持して持ち上げ、パレット用治具１の直上に位置させる。
なお、フォークリフトの爪Ｔは、実際は前記パレット１５の背面側から前記開口２０ａ，２０ａに差し込まれているが、図５においては、前記爪Ｔを図示するために、該爪Ｔはパレット１５の下面を支持しているように図示している。
また、前記パレット１５の底部１８上にはベニア板等が敷かれ、このベニア板上に荷物Ｎが載置されている。
【００３３】
次に、図６に示すように、前記爪Ｔを下降させていく。この場合、パレット１５の横フレーム１６を、前記パレット用治具１の位置決め部４を構成する一対のフレーム１１，１１の当接面１１ａ，１１ａに当接させつつ、下降させていく。このようにして、パレット１５を下降させていくと、その底部１８の開口部１８ａ…の位置と、パレット用治具１の櫛部３の歯８…の位置とが合致しているので、該歯８…が前記開口部１８ａ…を貫通して、前記底部１８から突出する。
前記歯８…が底部１８から突出すると、図７に示すように、該歯８…によって荷物Ｎが下方から押され、該荷物Ｎが前記底部１８から浮いた状態で支持される。
【００３４】
上記のようにして、荷物Ｎがパレット用治具１の底部１８から浮いた状態に支持されたならば、図９に示すように、該荷物Ｎと、パレット１５の底部１８との間に隙間Ｓが生じるので、この隙間Ｓからフォークリフトの爪Ｔを差し込む。なお、荷物Ｎが前記底部１８から浮いた状態に支持されたならば、前記フォークリフトの爪Ｔを差し込むまでに、前記紐等によって荷物を一まとめに結んでおいてもよい。
次に、図８に示すように、この爪Ｔを上昇させることで該爪Ｔで前記荷物Ｎの下面を支持しつつ該荷物Ｎを前記歯８…から離間させてパレット１５から取り出し、その後、荷物Ｎを他の場所に降ろすことで、荷降ろしを終了する。
【００３５】
このように、本例の荷物の荷降ろし方法によれば、パレット用治具１の櫛部３の歯８…をパレット１５の底部１８から突出させて、該歯８…によってパレット１５の底部１８に載置された荷物Ｎを該底部１８から浮かした状態で支持するようにしたので、従来と異なり桟木等を使用することなく、パレット１５の底部１８と荷物Ｎの間に隙間Ｓを形成することができ、よって、この隙間Ｓからフォークリフトの爪Ｔを差し込んで荷物Ｎを支持することによって、該荷物Ｎを容易かつ確実に荷降ろしすることができる。
【００３６】
次に、上記構成のパレット用治具１を使用して、パレット１５に荷物Ｎを積み込む方法について説明する。
まず、空のパレット１５を前記パレット用治具１の治具本体２に載置することによって、その櫛部３の歯８…をパレット１５の底部１８から突出させた後、図８に示すように、該歯８…に荷物Ｎをその下面をフォークリフトの爪Ｔで支持しつつ降ろすことによって載置する。これによって、前記荷物Ｎは図９および図７に示すように、パレット１５の底部１８上方に前記歯８…によって浮いた状態に支持される。
【００３７】
次いで、図６に示すように、前記パレット１５をフォークリフトの爪Ｔで支持して持ち上げると、該パレット１５の底部１８が上昇して前記荷物Ｎに下方から当接し、さらに該底部１８が上昇することで、荷物Ｎを歯８…から離して受け取り、その後、パレット１５を他の場所に降ろすことで、積み込みを終了する。
【００３８】
このように本例の荷物の積み込み方法によれば、パレット用治具１の櫛部３の歯８…を、空のパレット１５の底部１８から突出させ、この歯８…に荷物Ｎを載置した後、パレット１５を持ち上げて歯８…から荷物Ｎを受け取るようにしたので、従来と異なり桟木等を使用することなく、該荷物Ｎを容易かつ確実に積み込むことができる。
また、従来と異なり桟木を使用することなく、パレット１５の底部１８に荷物Ｎを直接載置して積み込むことができるので、該桟木がない分だけ、積載できる上下の寸法が大きくなり、よって、パレット１５への荷物Ｎの積載効率を向上させることができる。
さらに、パレット１５をパレット用治具１に載置すると、前記櫛部３の複数の歯８…がパレット１５の底部１８から突出するので、パレット１５の底部１８に載置された、あるいは載置すべき荷物Ｎの下面を複数の歯８…で支持することができるので、より安定的に荷物Ｎをパレット１５の底部１８から浮かした状態で支持することができる。
【００３９】
【発明の効果】
以上説明したように、本発明の請求項１のパレット用治具は、パレットが上方から載置される治具本体と、該治具本体に前記パレットが載置された際に、該パレットの底部から上方に突出して、荷物を前記底部から浮かした状態で支持する支持部とを備えてなるものであるから、従来と異なり桟木等を使用することなく、パレットと荷物の間に隙間を形成することができるので、従来に比して、パレットへの荷物の積み込み、および、パレットからの荷物の荷降ろしを容易に行うことができる。また、従来と異なり桟木を使用することなく、パレットの底部に荷物を直接載置して積み込むことができるので、該桟木がない分だけ、積載できる上下の寸法が大きくなり、よって、パレットへの荷物の積載効率を向上させることができる。
また、前記治具本体に、前記パレットの側面が当接されることで、前記支持部の前記パレットに対する位置決めを行う位置決め部を設けたものであるから、パレットをパレット用治具の治具本体に載置する際に、パレットの側面を前記位置決め部に当接することで、前記支持部の前記パレットに対する位置決めが行われて、該支持部がパレットの底部を確実に貫通して該底部から突出するので、該支持部によって、前記荷物をパレットの底部上方に浮いた状態で確実に支持することができる。
【００４０】
請求項２のパレット用治具は、請求項１において、前記支持部を、前記治具本体に水平方向に所定間隔で立設された複数の歯を有する櫛部で構成したものであるから、該櫛部の複数の歯がパレットの底部から突出する。
したがって、パレットの底部に載置された、あるいは載置すべき荷物の下面を複数の歯で支持することができるので、より安定的に荷物をパレットの底部から浮かした状態で支持することができる。
【００４２】
請求項３の荷物の荷降ろし方法によれば、パレット用治具の支持部をパレットの底部から突出させて、該支持部によってパレットの底部に載置された荷物を該底部から浮かした状態で支持するようにしたので、従来と異なり桟木等を使用することなく、パレットと荷物の間に隙間を形成することができる。したがって、この隙間からフォークリフト等の爪を差し込んで荷物を支持することによって、該荷物を容易かつ確実に荷降ろしすることができる。
【００４３】
請求項４の荷物の積み込み方法によれば、パレット用治具の支持部を、空のパレットの底部から突出させ、この支持部に荷物を載置した後、パレットを持ち上げて支持部から荷物を受け取るようにしたので、従来と異なり桟木等を使用することなく、該荷物を容易かつ確実に積み込むことができる。また、従来と異なり桟木を使用することなく、パレットの底部に荷物を直接載置して積み込むことができるので、該桟木がない分だけ、積載できる上下の寸法が大きくなり、よって、パレットへの荷物の積載効率を向上させることができる。
【図面の簡単な説明】
【図１】本発明のパレット用治具の一例を示すもので、該パレット用治具の斜視図である。
【図２】同、パレット用治具の平面図である。
【図３】同、パレット用治具の正面図である。
【図４】同、パレット用治具の側面図である。
【図５】本発明の荷物に荷降ろし方法を説明するためのもので、パレット用治具の上方に、荷物が積み込まれたパレットをフォークリフトの爪によって支持している状態を示す斜視図である。
【図６】同、荷物が積み込まれたパレットをパレット用治具に向けて下降させている状態を示す斜視図である。
【図７】同、パレットに積み込まれた荷物が、パレット用治具の支持部によって支持されている状態を示す斜視図である。
【図８】同、荷物をフォークリフトの爪によって支持してパレットから上方に離している状態を示す斜視図である。
【図９】同、パレット用治具の支持部によって支持されている荷物と、パレットの底部との間にフォークリフトの爪を差し込んでいる状態を示す斜視図である。
【符号の説明】
１  パレット用治具
２  治具本体
３  支持部（櫛部）
４  位置決め部
８  歯
１５  パレット
１８  パレットの底部
１８ａ  パレット底部の開口部
Ｎ  荷物
Ｔ  フォークリフトの爪
【図１】
0003958822.tif 000002
【図２】
0003958822.tif 000003
【図３】
0003958822.tif 000004
【図４】
0003958822.tif 000005
【図５】
0003958822.tif 000006
【図６】
0003958822.tif 000007
【図７】
0003958822.tif 000008
【図８】
0003958822.tif 000009
【図９】
0003958822.tif 000010